(57)【要約】【課題】  複数の給紙装置を設けた印刷装置において、手動両面印刷における利便性を向上させる。【解決手段】  複数の給紙装置を備えた印刷装置と印刷制御装置とを有する印刷システムであって、一方の印刷面群の印刷終了後、他方の印刷面群の印刷を行なう手動両面印刷の指示を受け付ける手段と、前記手動両面印刷の指示を受け付けた場合に、一の給紙装置からの給紙を可能とする制御手段とを備えることを特徴とする印刷システムを提供する。【選択図】  図１
2006089147.tif 000002
【特許請求の範囲】
【請求項１】
複数の給紙装置を備えた印刷装置と印刷制御装置とを有する印刷システムであって、
一方の印刷面群の印刷終了後、他方の印刷面群の印刷を行なう手動両面印刷の指示を受け付ける手段と、
前記手動両面印刷の指示を受け付けた場合に、一の給紙装置からの給紙を可能とする制御手段とを備えることを特徴とする印刷システム。
【請求項２】
請求項１に記載の印刷システムであって、
前記印刷装置は前面に排紙口が設けられ、
前記複数の給紙装置は、前記印刷装置の前面に設けられた前面給紙装置と、前記印刷装置の背面に設けられた背面給紙装置であり、
前記給紙を可能とする一の給紙装置は、背面給紙装置であることを特徴とする印刷システム。
【請求項３】
複数の給紙装置を備えた印刷装置を制御する印刷制御装置であって、
一方の印刷面群の印刷終了後、他方の印刷面群の印刷を行なう手動両面印刷の指示を受け付ける手段と、
前記手動両面印刷の指示を受け付けた場合に、ユーザに一の給紙装置に印刷用紙をセットする旨の通知を行なう印刷制御手段とを備えることを特徴とする印刷制御装置。
【請求項４】
請求項３に記載の印刷制御装置であって、
前記印刷制御手段は、
前記印刷装置から一方の印刷面群の印刷が終了したことを通知されると、
ユーザに、前記一の給紙装置に印刷済みの用紙を裏返してセットする旨の通知を行なうことを特徴とする印刷制御装置。
【請求項５】
情報処理装置を、複数の給紙装置を備えた印刷装置を制御する印刷制御装置として機能させるためのプリンタドライバプログラムであって、
一方の印刷面群の印刷終了後、他方の印刷面群の印刷を行なう手動両面印刷の指示を受け付ける手段と、
前記手動両面印刷の指示を受け付けた場合に、ユーザに一の給紙装置に印刷用紙をセットする旨の通知を行なう印刷制御手段として情報処理装置を機能させることを特徴とするプリンタドライバプログラム。
【請求項６】
請求項５に記載のプリンタドライバプログラムであって、
前記印刷制御手段は、
前記印刷装置から一方の印刷面群の印刷が終了したことを通知されると、
ユーザに、前記一の給紙装置に印刷済みの用紙を裏返してセットする旨の通知を行なうことを特徴とするプリンタドライバプログラム。
【請求項７】
請求項５に記載のプリンタドライバプログラムを記録した情報処理装置読み取り可能な記録媒体。
【発明の詳細な説明】
【技術分野】
【０００１】
本発明は、印刷システムに係り、特に、複数の給紙装置を備えた印刷システムにおける両面印刷に関する。
【背景技術】
【０００２】
オフィス用途向けに開発された印刷装置は、多量の印刷を行なったり、複数サイズの印刷用紙に対応するため複数の自動給紙装置（オートシートフィーダ）を備えるものが多い。
【０００３】
一方、個人用、家庭用向けに開発された印刷装置は、小型化の要請から自動給紙装置を１つだけ備えたものが主流となっている。
【発明の開示】
【発明が解決しようとする課題】
【０００４】
近年、印刷画質が向上し、個人用、家庭用向けに開発された印刷装置が、いわゆる写真印刷用途でも用いられるようになっている。このような印刷には、一般印刷用途の普通紙ではなく写真印刷専用の写真用紙が用いられることが多い。
【０００５】
この場合、ユーザは印刷目的に応じて自動給紙装置にセットする用紙を入れ替えなくてはならない。この手間を省くため、給紙装置を複数個設け、一方を普通紙専用とし、他方を普通紙、写真用紙等の種々の用紙を給紙可能とした印刷装置が提案されている。
【０００６】
ところで、個人用、家庭用向けに開発された印刷装置でも両面印刷を行なえるものがある。一般に、個人用、家庭用向けの印刷装置は印刷用紙を反転する機能を備えていないので、この両面印刷は手動で行なわれる。すなわち、まず、表面の印刷を連続して行ない、表面の印刷終了後、表面が印刷された印刷用紙をユーザが裏返して給紙装置に再度セットして、引き続き裏面の印刷を行なうようにしている。
【０００７】
このような手動の両面印刷を給紙装置が複数個設けられた印刷装置で行なおうとする以下のような問題が生じる。
【０００８】
すなわち、両面印刷は、表面印刷と裏面印刷との２回の印刷を行なうことから、印刷用紙の給紙装置へのセットを２回行なわなくてはならいところ、複数の給紙装置からの給紙を可能とすると、１回目をセットする給紙装置と２回目をセットする給紙装置との組合せ、および、用紙のセット方向の組合せが複数できてしまい、ユーザが混乱するおそれがある。また、それぞれの組合せに印刷装置が対応するためには制御が煩雑となってしまう。
【０００９】
さらに、前面の印刷終了後、ユーザに用紙の再セットのガイダンスを表示することが従来から行なわれているが、給紙装置の複数の組合せを許容するとガイダンスの内容が複雑になってしまう。
【００１０】
また、複数の給紙装置を設けた印刷装置の構造上、両面印刷にあまり適さない給紙装置が生じる場合もある。
【００１１】
本発明は、これらの問題点を考慮し、複数の給紙装置を設けた印刷装置において、手動両面印刷における利便性を向上させることを目的とする。
【課題を解決するための手段】
【００１２】
上記課題を解決するための本発明の第１の態様である印刷システムは、
複数の給紙装置を備えた印刷装置と印刷制御装置とを有する印刷システムであって、
一方の印刷面群の印刷終了後、他方の印刷面群の印刷を行なう手動両面印刷の指示を受け付ける手段と、
前記手動両面印刷の指示を受け付けた場合に、一の給紙装置からの給紙を可能とする制御手段とを備えることを特徴とする。
【００１３】
本発明は、複数の給紙装置を有する印刷システムにおいて、両面印刷の際に使用する給紙装置を１つに限っているため、印刷用紙をセットする際のユーザの混乱を防ぐとともに、簡易な制御が実現される。
【００１４】
ここで、前記印刷装置は前面に排紙口が設けられ、
前記複数の給紙装置は、前記印刷装置の前面に設けられた前面給紙装置と、前記印刷装置の背面に設けられた背面給紙装置であり、
前記給紙を可能とする一の給紙装置は、背面給紙装置とすることができる。
【００１５】
前面に排紙口が設けられ、前面給紙装置と背面給紙装置とを有する場合には、背面給紙装置を用いると、印刷用紙の反りが少なく、両面印刷に適しているからである。
【００１６】
上記課題を解決するための本発明の第２の態様である印刷制御装置は、
複数の給紙装置を備えた印刷装置を制御する印刷制御装置であって、
一方の印刷面群の印刷終了後、他方の印刷面群の印刷を行なう手動両面印刷の指示を受け付ける手段と、
前記手動両面印刷の指示を受け付けた場合に、ユーザに一の給紙装置に印刷用紙をセットする旨の通知を行なう印刷制御手段とを備えることを特徴とする。
【００１７】
ここで、前記印刷制御手段は、
前記印刷装置から一方の印刷面群の印刷が終了したことを通知されると、
ユーザに、前記一の給紙装置に印刷済みの用紙を裏返してセットする旨の通知を行なうことが望ましい。
【００１８】
上記課題を解決するための本発明の第３の態様であるプリンタドライバは、
情報処理装置を、複数の給紙装置を備えた印刷装置を制御する印刷制御装置として機能させるためのプリンタドライバプログラムであって、
一方の印刷面群の印刷終了後、他方の印刷面群の印刷を行なう手動両面印刷の指示を受け付ける手段と、
前記手動両面印刷の指示を受け付けた場合に、ユーザに一の給紙装置に印刷用紙をセットする旨の通知を行なう印刷制御手段として情報処理装置を機能させることを特徴とする。
【発明を実施するための最良の形態】
【００１９】
本発明の実施の形態について図面を参照して説明する。
【００２０】
図１は、本発明を適用した印刷システムのハードウェア構成の概要を説明するためのブロック図である。
【００２１】
本図に示すように、印刷システムは、アプリケーションソフトウェアによる各種処理、プリンタドライバによる印刷処理等を実現するためのコンピュータ３０と、このコンピュータ３０に接続される複合機１０とを備えて構成される。複合機１０は、画像読み取り機能（スキャナ機能）を備えたプリンタ装置である。
【００２２】
本実施形態において、コンピュータ３０は、印刷データを生成し、複合機１０に送信する印刷制御装置として機能する。そして、複合機１０は、受信した印刷データに基づいて印刷を行なう印刷装置として機能する。
【００２３】
コンピュータ３０を印刷制御装置として機能させるためのコンピュータプログラムであるプリンタドライバは、一般に複合機１０のメーカによって複合機１０対応に開発され、ＣＤ−ＲＯＭ等の記録媒体に記録されて頒布されたり、インターネット等のコンピュータネットワークを介して流通される。なお、印刷システムの構成はこれに限られない。
【００２４】
コンピュータ３０は、各種プログラムを実行するＣＰＵ（Central Processing Unit）、データおよびプログラム等を一時的に記憶するＲＡＭ（Random Access Memory）、コンピュータ３０を制御するための各種データ、各種プログラム等があらかじめ不揮発的に記憶されているＲＯＭ（Read Only Memory）等を備えた制御部３１と、および、接続されたの周辺装置とのデータの送受信をつかさどる入出力インタフェース部３２とを備えて構成される。
【００２５】
また、コンピュータ３０には、カラーディスプレイ等の表示装置２１、マウス、キーボード等の入力装置２２、ＣＤ−ＲＯＭ等の記録媒体からデータを読み取るメディア読取装置２３、補助記憶装置２４、インターネット等のコンピュータネットワークに接続するための通信制御装置２５等が接続される。ただし、コンピュータ３０の構成はこれに限られない。
【００２６】
複合機１０は、ＣＰＵ、ＲＡＭ、ＲＯＭ等を備え複合機１０の各処理を制御する制御部１１と、原稿台に置かれた原稿から反射光を読み取って画像データに変換するスキャナ部１２と、画像データに基づいて印刷を行なうプリンタ部１３と、コンピュータ３０と通信を行なうための入出力インタフェース部１４と、ユーザからの指示を受け付けたり、複合機１０の状態等を表示するためのユーザインタフェース部１５とを備えて構成される。ただし、複合機１０の構成はこれに限られない。
【００２７】
複合機１０は、スキャナ部１２で読み取った原稿を、プリンタ部１３で印刷できるとともに、コンピュータ３０から送られる印刷データに基づいて、プリンタ部１３で印刷することができる。
【００２８】
スキャナ部１２は、光源、レンズ、走査用モータ、ＣＣＤ（Charge Coupled Devic）センサ等から構成される読取エンジン部１２ａと、Ａ／Ｄ変換部１２ｂとを備えている。読取エンジン部１２ａは、原稿に光を当てながら走査し、その反射光を赤（Ｒ）、緑（Ｇ）、青（Ｂ）のフィルタをかけたＣＣＤセンサに導く処理を行なう。Ａ／Ｄ変換部１２ｂは、ＣＣＤセンサが読み取ったＲＧＢそれぞれについての濃淡のアナログ情報をデジタル信号化（ＲＧＢ信号）して画像データとして出力する。
【００２９】
プリンタ部１３は、インクジェット方式のカラープリンタとすることができる。インクジェット方式のカラープリンタは、筐体内にインクを充填したインクカートリッジを複数備え、このインクを印刷ヘッドに設けられた複数のノズルから印刷用紙等の印刷媒体に吹き付けて印刷を行なう。ただし、プリンタ部１３としてレーザ方式のプリンタを用いるようにしてもよい。
【００３０】
プリンタ部１３は、画像処理部１３ａと印刷エンジン部１３ｂとを備えている。
【００３１】
画像処理部１３ａは、スキャナ部１２が取得した画像データに基づいて印刷エンジン部１３ｂが可能なイメージデータを生成したり、コンピュータ３０から送られた印刷データに基づいてイメージデータを生成する処理を行なう。
【００３２】
印刷エンジン部１３ｂは、印字機構、給排紙機構等を備え、イメージデータに基づいて、複合機１０にセットされた印刷媒体に印刷を行なう。本実施形態において印刷エンジン部１３ｂは、給紙機構として自動給紙装置を２つ備えている。この給紙装置は後述するように複合機１０の筐体の背面および前面に設けられており、それぞれ、背面給紙口１０５、前面給紙口１０６と称するものとする。これらの給紙装置のうち、いずれの給紙装置を用いて給紙を行なうかは、制御部１１からの指示に基づくものとする。
【００３３】
ユーザインタフェース部１５は、例えば、操作ボタンと液晶表示装置とを備えた表示パネルを用いて構成することができる。
【００３４】
図２は、本発明を適用したコンピュータ３０の機能構成を示すブロック図である。
【００３５】
本図に示すようにコンピュータ３０は、アプリケーション部３１０と、オペレーティングシステム（ＯＳ）部３２０と、プリンタドライバ部３３０とを有している。
【００３６】
アプリケーション部３１０は、ワードプロセッサ、グラフィックス等の処理をコンピュータ３０に行なわせるための機能を有しており、アプリケーションプログラムを制御部３１が実行することによりコンピュータ３０上に構築される。アプリケーション部３１０は、この実施形態の印刷対象であるドキュメント３１１を記憶している。
【００３７】
オペレーティングシステム部３２０は、プリンタドライバ部３３０の動作を管理する印刷制御部３２１と、複合機１０に印刷コマンドから構成される印刷データを出力したり、複合機１０からの情報を入力するＩ／Ｏ部３２２とを有している。
【００３８】
プリンタドライバ部３３０は、ドキュメント３１１に関する描画コマンドをスプールファイル３３２に記憶させるスプーラ３３１と、スプールファイル３３２に記憶された描画コマンドに基づいて、複合機１０が解釈できる印刷コマンドを作成する印刷コマンド作成部３３３と、表示装置２１、入力装置２３を制御するユーザインタフェース（ＵＩ）制御部３３５と、このユーザインタフェース制御部３３５から送られてくる印刷条件を管理したり、複合機１０のステータスを取得する印刷条件管理部３３４とを有している。
【００３９】
プリンタドライバ部３３０は、複合機１０のメーカ等が開発したプリンタドライバプログラムを、コンピュータ３０の制御部３１が実行することによりコンピュータ３０上に構築される。プリンタドライバプログラムは、ＣＤ−ＲＯＭ等の記録媒体に記録することで市場に流通させることができる。また、インターネット等のコンピュータネットワークを介して市場に流通させることもできる。
【００４０】
なお、本実施形態において、プリンタドライバ部３３０は、複合機１０における両面印刷を処理することができる。ただし、複合機１０自体は用紙を反転する機能を備えていないので、この両面印刷は手動で行なわれる。すなわち、ユーザから両面印刷の指示を受け付けると、プリンタドライバ部３３０の印刷コマンド作成部３３３は、まず、表面を印刷するための印刷コマンドを生成し、その後、裏面を印刷するための印刷コマンドを生成して複合機１０に送信する。そして、複合機１０で表面の印刷が終了すると、ユーザインタフェース制御部３３５は、表面が印刷された印刷用紙を裏返して再度給紙口にセットする旨のガイド画面を表示装置２１に表示させる。
【００４１】
図３は、複合機１０の略断面を説明するための模式図である。本図に示すように、複合機１０は、背面給紙口１０５と前面給紙口１０６との２つの給紙装置を備えており、それぞれに印刷用紙１１０ａ、印刷用紙１１０ｂがセットされている。
【００４２】
複数のローラ１０８により、背面給紙口１０５あるいは前面給紙口１０６から給紙された印刷用紙１１０は、インクカートリッジを搭載したキャリッジ１０３に備えられた印字ヘッドから吐出されたインク滴により印刷面に画像が形成される。印刷された印刷用紙は、複数のローラ１０８により、排紙口１０７から排出される。
【００４３】
また、スキャナ部１２の機構として、原稿台１０１と、原稿を走査するラインセンサ１０２とを備え、ユーザインタフェース部１５の機構として操作パネル１０４を備えている。
【００４４】
図４は、複合機１０の給紙機構を説明するための図である。本図に示すように、本実施形態においては、背面給紙口１０５にセットされた印刷用紙１１０ａは、Ｒ１に示すように、大きな弧を描いてキャリッジ１０３方向に給紙されていく。一方、前面給紙口１０６にセットされた印刷用紙１１０ｂは、Ｒ２に示すように、比較的小さな弧を描いてキャリッジ１０３方向に給紙されていく。
【００４５】
上述のように、複合機１０で両面印刷を行なう場合には、表面の印刷を終えた印刷用紙を裏面を印刷するために再度給紙装置にセットする必要がある。この際に、給紙が円滑に行なえるように印刷用紙の反りはなるべく発生しない方がよい。このため、前面に排紙口が設けられている複合機１０のような構造においては、両面印刷の際には、背面給紙口１０５を用いる方が望ましいといえる。
【００４６】
つぎに、本実施形態において両面印刷を行なう場合のプリンタドライバ部３３０の処理について説明する。
【００４７】
プリンタドライバ部３３０のユーザインタフェース制御部３３５は、例えば、ユーザからのメニュー操作により、図５に一例を示すような印刷設定画面５００を表示装置２１に表示させる。
【００４８】
ユーザは、設定画面５００中で両面印刷指示欄５０１にチェックを入れることで両面印刷の指示を行なうことができる。
【００４９】
両面印刷の指示を受け付けると、プリンタドライバ部３３０は、ドキュメント３１１の印刷の際に、まず、表面を印刷するための印刷コマンドを生成し、その後、裏面を印刷するための印刷コマンドを生成して複合機１０に印刷データとして送信する。また、印刷データには両面印刷が設定されている旨の情報を含めるようにする。
【００５０】
また、プリンタドライバ部３３０のユーザインタフェース制御部３３５は、ユーザから両面印刷の指示を受け付けると、図７に示すようなユーザに給紙口を告知する画面５２０を表示装置２１に表示させる。
【００５１】
本図に示すように画面５２０には、用紙を背面オートシートフィーダー（背面給紙口１０５）にセットする旨の指示が表示される。
【００５２】
すなわち、本実施形態においては、両面印刷が行なわれる場合には、複数あるうちの給紙装置のうち、１つの給紙装置に限って給紙を行なうようにしている。これは、両面印刷は、表面印刷と裏面印刷との２回の印刷を行なうことから、印刷用紙の給紙装置へのセットを２回行なわなくてはならいところ、複数の給紙装置からの給紙を可能とすると、１回目をセットする給紙装置と２回目をセットする給紙装置との組合せ、および、用紙のセット方向の組合せが複数できてしまい、ユーザが混乱するおそれがあるからである。また、それぞれの組合せに印刷システムが対応するためには制御が煩雑となるからである。
【００５３】
さらに、本実施形態では、背面給紙口１０５および前面給紙口１０６のうち、背面給紙口１０５からの給紙に限っている。これは、上述のように、複合機１０の構造上、印刷用紙の反りが少ない方の給紙装置だからである。
【００５４】
つぎに、両面印刷を行なう場合の複合機１０の処理について図６のフロー図を参照して説明する。
【００５５】
まず、複合機１０の入出力インタフェース部１４は、コンピュータ３０から送られた印刷データを受信する（Ｓ１０１）。
【００５６】
制御部１１は、印刷データを解釈して、両面印刷が設定されているかどうかを判断する（Ｓ１０２）。
【００５７】
その結果、両面印刷が設定されていない場合（Ｓ１０２：Ｎ）には、従来どおりの通常印刷処理を行なう（Ｓ１０３）。
【００５８】
一方、両面印刷が設定されている場合（Ｓ１０２：Ｙ）には、制御部１１は、背面給紙口１０５から給紙を行ない表面の印刷を行なうよう制御する（Ｓ１０４）。上述のように、本実施形態では、両面印刷の際には、一方の給紙装置、すなわち、背面給紙口１０５からの給紙に限るようにしている。したがって、背面給紙口１０５に印刷用紙がセットされていない場合には、前面給紙口１０６に印刷用紙がセットされていたとしても用紙切れの警告がなされることになる。
【００５９】
そして、印刷用紙の表面の印刷が終了すると、表面の印刷が終了したことをコンピュータ３０のプリンタドライバ部３３０に報告する（Ｓ１０５）。
【００６０】
この報告を受けると、プリンタドライバ部３３０のユーザインタフェース制御部３３５は、表面が印刷された印刷用紙を裏返して再度給紙口にセットする旨のガイド画面を表示装置２１に表示させる。
【００６１】
図８は、印刷用紙再セットのガイド画面５４０の一例を示す図である。本図に示すように印刷用紙再セットのガイド画面５４０は、裏面を印刷するために、排紙口１０７に排紙された印刷用紙を方向を変えずに裏返して背面給紙口１０５にセットする指示がイラストと文字とで示されている。また、印刷用紙を再セット後、印刷を再開するためのボタンも含まれている。
【００６２】
このように、本実施形態によれば、複数の給紙装置を有する印刷システムにおいて、両面印刷の際に使用する給紙装置を１つに限っているため、印刷用紙を再セットする際のガイドのパターンも一通りで済む。これにより、ユーザの混乱は軽減され、また、印刷システム側の制御も簡易となる。
【００６３】
そして、ユーザから印刷再開の指示を受け付けると、背面給紙口１０５から給紙を行ない裏面の印刷を行なうことで両面印刷が実現される（Ｓ１０６）。
【図面の簡単な説明】
【００６４】
【図１】印刷システムのハードウェア構成の概要を説明するためのブロック図である。
【図２】コンピュータ３０の機能構成を示すブロック図である。
【図３】複合機１０の略断面を説明するための模式図である。
【図４】複合機１０の給紙機構を説明するための図である。
【図５】印刷設定画面５００の例を示す図である。
【図６】両面印刷を行なう場合の複合機１０の処理を説明するフロー図である。
【図７】ユーザに給紙口を告知する画面５２０例を示す図である。
【図８】印刷用紙再セットのガイド画面５４０の一例を示す図である。
【符号の説明】
【００６５】
１０…複合機、１１…制御部、１２…スキャナ部、１２ａ…読取エンジン部、１２ｂ…Ａ／Ｄ変換部、１３…プリンタ部、１３ａ…画像処理部、１３ｂ…印刷エンジン部、１４…入出力インタフェース部、１５…ユーザインタフェース部、２１…表示装置、２２…入力装置、２３…メディア読取装置、２３…入力装置、２４…補助記憶装置、２５…通信制御装置、３０…コンピュータ、３１…制御部、３２…入出力インタフェース部、１０１…原稿台、１０２…ラインセンサ、１０３…キャリッジ、１０４…操作パネル、１０５…背面給紙口、１０６…前面給紙口、１０７…排紙口、１０８…ローラ、１１０…印刷用紙、３１０…アプリケーション部、３１１…ドキュメント、３２０…オペレーティングシステム部、３２１…印刷制御部、３２２…Ｉ／Ｏ部、３３０…プリンタドライバ部、３３１…スプーラ、３３２…スプールファイル、３３３…印刷コマンド作成部、３３４…印刷条件管理部、３３５…ユーザインタフェース制御部
【図１】
2006089147.tif 000003
【図２】
2006089147.tif 000004
【図３】
2006089147.tif 000005
【図４】
2006089147.tif 000006
【図５】
2006089147.tif 000007
【図６】
2006089147.tif 000008
【図７】
2006089147.tif 000009
【図８】
2006089147.tif 000010